(57)【要約】【目的】本発明は、運搬機能、施工機能、防水機能、等を向上した屋根材に係るものである。【構成】上下端に雄雌連結構造を形成した屋根材Ａにおいて、屋根材Ａの長さを運搬車Ｕの荷台の長さに対応して形成した屋根材Ａである。【選択図】図１
2015190181.tif 000002
【特許請求の範囲】
【請求項１】
上下端に雄雌連結構造を形成した屋根材において、屋根材の長さを運搬車の荷台の長さに対応して形成したことを特徴とする屋根材。
【発明の詳細な説明】
【技術分野】
【０００１】
本発明は、運搬機能、施工機能、防水機能、等を向上した屋根材に係るものである。
【背景技術】
【０００２】
一般に、金属製板材をロール成形、プレス成形等して加工し、裏面に断熱材を形成した長尺状の屋根材は数多く上市されている。（例えば、特許文献１、２参照）。
【０００３】
【特許文献１】特開２０００−２０４７２０号公報
【特許文献２】特開２００１−２２７１１３号公報
【発明の開示】
【発明が解決しようとする課題】
【０００４】
特許文献１、２は裏面に断熱材を形成し、左右端部を重ねて縦目地を形成する金属製屋根材である。しかしながら、特許文献１、２は長尺品であり、現在の都市型住宅の特徴である「隣接する家同士が近い」「一戸当たりの土地面積が狭い」「住宅街の道が狭い」等に対応出来るものでなかった。また、このような住宅事情において、熟練の技能者が少なくなっていることあり、取り回しが良く、施工に熟練を要さない金属製の屋根材の要望が多い。
【課題を解決するための手段】
【０００５】
本発明はこのような欠点を解決するために、上下端に雄雌連結構造を形成した屋根材において、屋根材の長さを運搬車の荷台の長さに対応して形成した屋根材を提供するものである。
【発明の効果】
【０００６】
以上説明したように、本発明に係る屋根材によれば、（１）現在の都市型住宅の特徴である隣接する家同士が近い住宅においても施工が可能である。（２）一戸当たりの土地面積が狭い住宅においても、施工時に屋根材を簡単かつスムーズに運搬可能であるために、在庫スペースの確保が必要なく、屋根材の現場屋外在庫の必要がない。（３）住宅街の道が狭い住宅に対し、運搬車となる軽トラック等の大型のトラックが浸入出来ない場所へでもスムーズに屋根材を運搬出来る。（４）長さが従来品に比して大幅に短くなっているために、熟練の技能者でなくとも施工が可能である。等の特徴、効果がある。
【図面の簡単な説明】
【０００７】
【図１】本発明に係る屋根材の代表的一例を示す正面図である。
【図２】本発明に係る屋根材を運搬する運搬車の代表的一例を示す説明図である。
【図３】本発明に係る屋根材を運搬する施工者の代表的一例を示す説明図である。
【図４】本発明に係る屋根材の代表的一例を示す説明図である。
【図５】本発明に係る屋根材の施工状態を示す説明図である。
【図６】本発明に係る屋根材の施工状態を示す説明図である。
【図７】本発明に係る屋根材の施工状態を示す説明図である。
【図８】本発明に係る屋根材を示す説明図である。
【図９】本発明に係る屋根材を示す説明図である。
【図１０】本発明に係る屋根材を示す説明図である。
【図１１】本発明に係る屋根材を示す説明図である。
【図１２】本発明に係る屋根材の施工状態と、屋根材の端部を示す説明図である。
【図１３】本発明に係る屋根材を示す説明図である。
【図１４】本発明に係る屋根材の施工順序を示す説明図である。
【図１５】本発明に係る屋根材の施工順序を示す説明図である。
【図１６】本発明に係る屋根材の施工状態を示す説明図である。
【図１７】本発明に係る屋根材のその他の実施例を示す説明図である。
【発明を実施するための形態】
【０００８】
以下に図面を用いて本発明に係る屋根材について詳細に説明する。図１は本発明に係る屋根材Ａの正面図、図２（ａ）、（ｂ）は屋根材Ａを搬送するために使用する運搬車Ｕを示すものであり、ＫＴは軽自動車、ＲＫはリアカーを示すものである。また、図３は施工者Ｎが屋根材Ａを運搬する場合の状態を示す説明図である。
【０００９】
図１に示す屋根材Ａの全幅をＲ、働き幅をＲ１、図２（ａ）、（ｂ）に示す荷台ＫＴ１、荷台ＲＴ１の幅をＳ、図３において施工者Ｎの身長をＮ１、Ｒ／２をＲ２とすると、Ｒ１＝１８２０ｍｍ、Ｒ＝Ｒ１＋３０〜１００ｍｍ、Ｒ＝２×Ｒ２、Ｒ＜Ｓとするものである。また、運搬時のバランス上、２Ｎ１＞Ｒ、かつＲ＜Ｎ１の関係が望ましいが、身長Ｎ１の特定は不可能であるために、軽トラックＫＴの荷台ＫＴ１の中の寸法Ｓは、現行車はカタログ上では全車１９４０ｍｍであるので、Ｒ＜１９４０ｍｍの関係とするものである。
【００１０】
このように形成することにより、隣接する家同士が近い住宅にでも、長さが的確であるために屋根材Ａの取り回しがし易く、施工性が良いものである。
【００１１】
また、このように形成することにより、屋根材Ａの長さが施工者Ｎのバランスを崩さない状態にて安全運搬出来るものである。なお、家屋Ｋの屋根材の場合等の小さな施工現場の場合には、施工者Ｎと屋根材Ａを運搬する運搬者は同じであることが殆どである。
【００１２】
さらに、屋根材Ａの運搬が常時可能であるために、施工物件の狭小地住宅街内に保管しておく必要が無く、屋根材Ａの屋外保管による劣化防止、防犯にも役立つものである。
【００１３】
また、道幅の狭い住宅街においては原動機付き運搬車Ｕの中において大多数の施工業者が所有する軽トラックＫＴを使用することにより、軽トラックＫＴの利便性である、小回り、積載能力、燃費、等を最大限活用することが出来るものである。
【００１４】
軽トラックＫＴの荷台ＫＴ１の中の寸法Ｓは、現行車はカタログ上では全車１９４０ｍｍであるが、鳥居までの実質寸法で１９１０〜１９４０ｍｍ、荷台床面長は１９４０〜２０３０ｍｍである。車種によってやや差がある。また、図示しないが幅はほぼ１４１０ｍｍである。アオリの高さは２９０ｍｍである。なお、リアカーＲＫの荷台ＲＫ１の寸法Ｓも同様である。
【００１５】
なお、図２（ｂ）に示すリアカーＲＫは、原動機付きの軽トラックＫＴの原動機の付いていない、人力の運搬車Ｕである。
【００１６】
次に、本発明に係る屋根材Ａの一実施例について詳細に説明する。図４（ａ）〜（ｃ）は金属製屋根材Ｂと断熱材Ｃ、裏面材Ｄよりなる屋根材Ａの代表的一例を示す説明図、図５〜７は屋根材Ａの施工状態を示す説明図、図８〜図１１は屋根材Ａの左右端部を示す説明図、図１２（ａ）〜（ｃ）において、（ａ）図は図６のａ−ａ部端面図、（ｂ）図は図８のｂ−ｂ部端面図、（ｃ）図は図９のｃ−ｃ部端面図である。
【００１７】
また、図１３（ａ）〜（ｃ）において、（ａ）図は図１１のｄ−ｄ部断面図、（ｂ）図は図１１のｅ−ｅ部断面図、（ｃ）図は図８のｆ−ｆ部断面図である。さらに、図１４（ａ）〜（ｃ）、図１５（ａ）〜（ｃ）は施工順序を示す説明図、図１６は施工状態を示す説明図である。図中、αは下地、βは釘等の固定具、γは縦目地、γ１は横目地、Ｋは家屋、Ｍは窓、Ｙは屋根を示している。
【００１８】
下地αは、新築の際は図５に示すように垂木１、野地板２、防水シート３から構成した木造下地を示したものである。すなわち、垂木１上に野地板２を敷設し、野地板２上に防水シート３（アスファルトフェルト）を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に金属横葺き屋根、金属瓦棒葺き屋根、新生瓦（コロニアル）、瓦屋根、等の既存屋根（図示せず）が形成された既存屋根構造が下地αとなるものである。勿論、防水シート３を形成しない下地αでも良いものである。
【００１９】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００２０】
さらに説明すると、金属製屋根材Ｂは長尺板状であり、図４（ａ）〜（ｃ）に示すように、略水平面状の化粧面４と、裏面５と、化粧面４の水下側端部を屋内側に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。
【００２１】
また、図４（ａ）〜（ｃ）に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３としたものである。
【００２２】
さらに、図８、図１０、図１２（ａ）〜（ｃ）に示すように、金属製屋根材Ｂの一端縁には、下端部１４ａを化粧面４の屋外側で内側方に突出すると共に、屋外側へ傾斜して突出した傾斜防水片１５と、傾斜防水片１５に形成した凹部１６と、凹部１６により形成した防水空隙１７と、傾斜防水片１５の先端よりも外方の化粧面４上に、化粧面４中央へ傾斜して屋外側へ突出した凸部１８とから形成した下連結部１４を形成したものである。さらに説明すると、傾斜防水片１５は凹部１６を境にして水平片１５ａと傾斜片１５ｂを形成することにより、凹部１６を中心にして傾斜片１５ｂが金属製屋根材Ｂの裏面５に接触した場合にスムーズに裏面５に沿って変形出来るようにしたものである。
【００２３】
また、金属製屋根材Ｂの他端縁には、図９、図１１、図１２（ａ）〜（ｃ）に示すように、金属製屋根材Ｂの他端縁の上端部１９ａを外側方にさらに突出した突出片２０と、突出した部分の雌型連結部１３部分を切断した切り欠き２１と、突出片２０の先端を内方に折り返した舌片２２と、突出片２０の先端を屋内側に傾斜して垂下した当接片２０ａと、突出片２０の裏面部分の切り欠き２３と、差込縁７の上端部１９ａ近傍を切り欠いた水抜き孔２４、第２水抜き孔２５と、位置決め片２６と、当接片２０ａより形成される防水空隙２７とから形成した上連結部１９を形成したものである。
【００２４】
下連結部１４は、図６、図７、図１２（ａ）〜（ｃ）に示すように、上連結部１９が連結されることにより、防水機能を発揮する部分である。
【００２５】
傾斜防水片１５は、下端部１４ａを屋外側に折り返して形成すると共に、先端部分を屋外側に傾斜して形成することにより、突出片２０の裏面５にそのスプリングバック機能により当接して防水性を強化すると共に、途中に凹部１６を形成することにより、防水空隙１７を連結部内に形成し、さらに防水性を向上するものである。なお、当接片２０ａの高さをＨ、傾斜防水片１５の高さをｈとすると、Ｈ＜ｈの関係である。
【００２６】
凸部１８は、図８に示すように化粧面４中央の水下側へ傾斜して一定ピッチで複数個形成することにより、内部に浸入しようとする雨水、風等を図３に点線矢印で示すように外部に排出すると共に、傾斜防水片１５、凹部１６、防水空隙１７、当接片２０ａ、防水空隙２７との相乗効果により、さらに、防水性、気密性を向上するものである。
【００２７】
図では、その形成角度ｒは、ｒ＝３０°としている。また、凸部１８の形成位置は、下端部１４ａから凸部１８形成位置までの幅をｗ、図９に示すように上端部１９ａから突出片２０の先端までの幅（切り欠き２３の幅）をＷとすると、Ｗ＞ｗの関係である。なお、図８に示すように凸部１８間の関係において、凸部１８間に垂直方向の重なりｔを設けると、さらに防水性が向上するものである。なお、凸部１８の垂直方向の重なりをＴとすると、Ｔ≧０である。
【００２８】
このように凸部１８を傾斜して複数個形成することにより、端部の成形歪みを最小限にして成型が可能である。また、歪みがないので金属製屋根材Ｂの寸法精度が向上し、さらに、寸法精度の向上により、施工性、防水性が向上するものである。
【００２９】
上連結部１９は、図６、図７、図１２（ａ）〜（ｃ）に示すように、下連結部１４上に連結されることにより、防水機能を発揮する部分である。
【００３０】
突出片２０は、図１２（ａ）に示すように、切り欠き２１を介して下連結部１４上に形成され、防水性を有する縦目地γを形成する部分であり、凸部１８、当接片２０ａにより複数の防水空隙２７を形成して防水性、気密性を向上するものである。
【００３１】
切り欠き２１は、金属製屋根材Ｂ同士を連結する際に、雌型連結部１３部分が邪魔にならないように、嵌合縁１１、固定片１２を切り欠いた空間である。勿論、切り欠き２１には断熱材Ｃと裏面材Ｄは存在しない。
【００３２】
当接片２０ａは、突出片２０と化粧面４間の縦目地γに空隙が形成されるのを防止し、防水性を向上すると共に、意匠性の向上と、端部がバタ付かないように形成するものであり、傾斜して形成することにより、スプリングバックを発揮するものである。さらに、当接片２０を形成することにより端部に風によるダウンフォースが働き、端部の密着性を向上して隙間を無くし、さらに防水性を向上するものである。
【００３３】
切り欠き２３は、屋根材Ａ同士を横方向で連結する際に、断熱材Ｃと裏面材Ｄが邪魔にならないように切り欠いた空間である。
【００３４】
水抜き孔２４は、図５〜図７に示すように連結した際に、縦目地γ部分から浸入した雨水が、差込縁７部分から内部に浸入しないように、下段の屋根材Ａ上の化粧面４に排水する部分である。
【００３５】
第２水抜き孔２５は、図５〜図７に示すように連結した際に、縦目地γ部分から浸入した雨水が、水抜き孔２４を越えて浸入しようとした際に、下段の屋根材Ａ上の化粧面４に排水する部分である。また、位置決め片２６は切り欠き２３の形成位置を特定するための部分である。勿論、位置決め片２６は屋根材Ａ製造時には、断熱材Ｃと裏面材Ｄを形成した複数枚の連続した屋根材Ａ同士を、切り離すための断熱材Ｃと裏面材Ｄの切断位置（目印）としても機能する部分である。
【００３６】
断熱材Ｃは防水材、断熱材、補強材、嵩上げ材、防音材、吸音材、緩衝材、防火材、結露防止材、等として機能するものであり、主に、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。
【００３７】
また、断熱材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００３８】
裏面材Ｄはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００３９】
パッキング材Ｅは図１１、図１２（ａ）に点線で示すように、当接片２０ａ付近の裏面に連続状に形成し、縦目地γから雨水が浸入するのを防止するものである。勿論、パッキング材Ｅは傾斜防水片１５上、あるいは下端部１４ａ側の化粧面４上に連続状に形成しても良いものである。
【００４０】
パッキング材Ｅとしては、例えば定型で弾性のあるパッキング材Ｅとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材Ｅとしてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。
【００４１】
そこで、本発明に係る屋根材の施工方法について説明する。そこで、図４（ａ）、（ｃ）に示すような屋根材Ａを、図５、図１４（ａ）〜（ｃ）〜図１６に示すように施工するとする。
【００４２】
まず、図５に示すように下段の屋根材Ａ上に上段の屋根材Ａを施工した図１１（ａ）、図１５（ａ）の左の屋根材Ａ１の下連結部１４上に、図１４（ｂ）、図１５（ｂ）に示すように右の屋根材Ａ２の上連結部１９を重ね合わせる。
【００４３】
その後、図１４（ｂ）、図１５（ｂ）に矢印で示すように右の屋根材Ａを押し込むように差し込んで施工し、屋根材Ａ２の固定片１２を図５に示すように釘等の固定具βにより下地αに固定し、図１２（ｃ）に示すように施工するものである。この工程を、右方向、上方向に順次行うことにより、図１６に示すように施工を完了するものである。勿論、右の屋根材Ａ２を斜め方向に押し込むように差し込んで施工することも可能である。
【００４４】
以上説明したのは、本発明に係る外装材の運搬方法の一実施例にすぎず、図１７（ａ）〜（ｃ）に示すような外装材Ａを利用することが出来るものである。すなわち、図１７（ａ）〜（ｃ）はＲ１＝１８２０ｍｍである場合に、ピッチ４５５ｍｍにて、釘打ちピッチ目安目印２８を形成した屋根材Ａである。たた、図１７（ａ）〜（ｃ）に示すように右端の下連結部１４側に上連結部１９側が重なる目印としてジョイント部重ね代目安目印２９を形成した屋根材Ａである。勿論、釘打ちピッチ目安目印２８、ジョイント部重ね代目安目印２９共に、金属製屋根材Ｂをプレス成形してリブ状に形成したり、塗料、インクを利用して色彩により目印としたりするものである。
【符号の説明】
【００４５】
α下地
β固定具
γ縦目地
γ１横目地
Ａ屋根材
Ａ１屋根材
Ａ２屋根材
Ｂ金属製屋根材
Ｃ断熱材
Ｄ裏面材
Ｅパッキング材
Ｋ家屋
ＫＴ軽トラック
ＫＴ１荷台
Ｍ窓
Ｎ施工者
Ｕ運搬車
ＲＫリアカー
ＲＫ1荷台
Ｙ屋根
１垂木
２野地板
３防水シート
４化粧面
５裏面
６段差化粧面
７差込縁
８引っ掛け溝
９雄型連結部
１０嵌合溝
１１嵌合縁
１２固定片
１３雌型連結部
１４下連結部
１４ａ下端部
１５傾斜防水片
１５ａ水平片ａ
１５ｂ傾斜片
１６凹部
１７防水空隙
１８凸部
１９上連結部
１９ａ上端部
２０突出片
２０ａ当接片
２１切り欠き
２２舌片
２３切り欠き
２４水抜き孔
２５第２水抜き孔
２６位置決め片
２７防水空隙
２８釘打ちピッチ目安目印
２９ジョイント部重ね代目安目印
【図１】
2015190181.tif 000003
【図２】
2015190181.tif 000004
【図３】
2015190181.tif 000005
【図４】
2015190181.tif 000006
【図５】
2015190181.tif 000007
【図６】
2015190181.tif 000008
【図７】
2015190181.tif 000009
【図８】
2015190181.tif 000010
【図９】
2015190181.tif 000011
【図１０】
2015190181.tif 000012
【図１１】
2015190181.tif 000013
【図１２】
2015190181.tif 000014
【図１３】
2015190181.tif 000015
【図１４】
2015190181.tif 000016
【図１５】
2015190181.tif 000017
【図１６】
2015190181.tif 000018
【図１７】
2015190181.tif 000019